(57)【要約】　　　（修正有）【課題】鉢物を箱内に収容しやすく、また、収容された鉢物は安定感が良く，陳列した際に鉢物の正面のみならず斜め方向からも観察することができるとともに光が鉢物の裏側にまで届く為その寿命を長期化しやすい花卉用収容具を提供する。【解決手段】三角柱状箱体のいずれかの側壁部に開口を設けるとともにこの開口に開閉扉を設置し、且つ、この開閉扉に窓部を設け、この窓部には透明シートが張られているため、内部の幅は開口の間口から奥に向かうに従って漸次幅狭となり、また、収容された鉢物は３つの内周壁面によって支持され、更に、窓部を鉢物の幅よりも幅広に設けることができる。【選択図】　　　　　図２
2004051121.tif 000002
【特許請求の範囲】
【請求項１】
三角柱状箱体のいずれかの側壁部に開口を設けるとともにこの開口に開閉扉を設置し、且つ、この開閉扉に窓部を設け、この窓部には透明シートが張られていることを特徴とする花卉用収容具。
【請求項２】
請求項１の花卉収容具において、前記箱体の上下底が直角二等辺三角形状であり、前記開閉扉をこの直角二等辺三角形の斜辺部に相当する側壁部に設けたことを特徴とする花卉用収容具。
【発明の詳細な説明】
【０００１】
【産業上の利用分野】
この発明は花卉用収容具に関し、花卉（生花，鉢物）を搬送したり、陳列したりする場合に使用されるものである。
【０００２】
【従来の技術】
従来におけるこの種の花卉用収容具は四角柱状箱体であり、そのいずれかの側壁部に開閉扉を設け、且つ、この開閉扉に窓部を設け、この窓部には透明シートを張ったものであり、欄等の鉢物を収容する際は、この扉を開いて箱体内に収容し、扉を閉じた後封をしていた。
【０００３】
【発明が解決しようとする課題】
しかしながら、かかる従来の花卉用収容具にあっては、箱体が四角柱状であり間口が内部と略同じ幅であるため、内部の幅に相応する大きさの鉢物とを収容するには箱内に入れにくく、また、収容された鉢物は４つの内周壁面によって支持されているため、安定感が悪く、その上、窓部の幅を鉢物と略同じ幅にしかとれないため、陳列した際に窓部を介して鉢物の殆ど正面のみしか観察することができないという不都合を有した。
【０００４】
この発明の課題はこれらの不都合を解消することである。
【０００５】
【課題を解決するための手段】
上記課題を達成するために、この発明に係る花卉用収容具においては、三角柱状箱体のいずれかの側壁部に開口を設けるとともにこの開口に開閉扉を設置し、且つ、この開閉扉に窓部を設け、この窓部には透明シートが張られているため、内部の幅は開口の間口から奥に向かうに従って漸次幅狭となり、また、収容された鉢物は３つの内周壁面によって支持され、更に、窓部を鉢物の幅よりも幅広に設けることができる。
【０００６】
なお、前記箱体の上下底が直角二等辺三角形状であり、前記開閉扉をこの直角二等辺三角形の斜辺部に相当する側壁部に設ければ、一対の花卉用収容具をその窓部を向かい合わせて重ねて一体化したときに直方体状となってコンバクトになる。
【０００７】
【実施例】
図１はこの発明に係る花卉用収容具の斜視図、図２は図１に相当する扉を開放した状態の図、図３は図１におけるＩＩＩ−ＩＩＩ　線断面図である。
【０００８】
図１において、Ａは花卉用収容具であり、ダンポール製の三角柱状箱体１０から構成されている。１１，１２　ははこの三角柱状箱体１０の側板であり、互いに略垂直に連設されている。この側板はこの発明の「側壁部」を構成する。１３は同上底板であり、前記側板１１，１２　の上端縁に連設されている。また、１４は同下底板であり、前記側板１１，１２　の上端縁に連設されている。これらの上底板１３および下底板１４は直角二等辺三角形状である。よって、この三角柱状箱体１０水平断面は前記側板１１，１２　を等辺とした直角二等辺三角形状をしている。
【０００９】
次に、図１および図２において、１５は開口であり、前記三角柱状箱体１０における水平断面が直角二等辺三角形状の斜辺に当たる側壁部に形成されている。そして、その広さはこの側壁部全体に及んでいる。このため、この開口１５は中に収容する鉢物Ｆよりも幅を広くとることができる。
【００１０】
１６は台部であり、前記三角柱状箱体１０における前記開口１５の下底板１４の端縁に一体的に折り曲げ形成されている。この台部１６は垂直部１６１　と水平部１６２　とからなり、垂直部１６１　によって所定の高さを確保している。　１６３は支持孔であり、この台部１６における水平部１６２　形成されている。この支持孔１６３　には鉢物Ｆ等の鉢の部分が略隙間無く内嵌めされる。なお、この台部１６は前記下底板１４とは別体で形成することもできる。
【００１１】
１７は上部受片であり、前記三角柱状箱体１０における前記開口１５の上底板１３の端縁に一体的に折り曲げ形成されている。また、１８は側部受片であり、前記三角柱状箱体１０における前記開口１５の側板１２の端縁に一体的に折り曲げ形成されている。これら１７，１８　の機能は後記する。
【００１２】
２０は開閉扉であり、前記三角柱状箱体１０における前記開口１５の片側の側板１１の端縁に揺動可能に連設されている。この開閉扉２０は前記側板１１と一体形成され、前記開口１５を開閉する。なお、この開閉扉２０は前記開口１５を閉止したときに、その周縁部が前記台部１６の垂直部１６１　と前記上部受片１７と前記側部受片１８に重ねられるため、閉止状態は安定化する。
【００１３】
２１は窓部であり、前記開閉扉２０に形成されている。この窓部２１は前記三角柱状箱体１０内に収容した鉢物Ｆ等を観察するためのものであり、裏側から透明シート２２が張設されている。この窓部２１は中に収容する鉢物Ｆよりも広幅に形成されている。このため、鉢物Ｆを正面からのみでなく斜め前方からも観察することができる。
【００１４】
また、図３が示すように、前記側板１１，１２　の内壁面と鉢物Ｆ等の間にはセロファン等の滑りシートＳを配置する。これら，前記側板１１，１２　が滑りの悪いダンボール製なので、その内壁面と鉢物Ｆ等の間の滑りを確保するためである。
また、図３に示すように、前記三角柱状箱体１０は水平断面が直角二等辺三角形状であるため、一対の三角柱状箱体１０，１０　をその窓部２１，２１　を向かい合わせて重ねて一体化すれば、直方体状となり、搬送しやすいものである。
なお、図１および図２において、１９，１９　は把手であり、前記上底板１３に切り込み入れ垂直に折り曲げて形成したものである。
【００１５】
【発明の効果】
この発明に係る花卉用収容具は、三角柱状箱体のいずれかの側壁部に開閉扉を設け、且つ、この開閉扉に窓部を設け、この窓部には透明シートが張られているため、内部の幅は間口から奥に向かうに従って漸次幅狭となり、また、収容された鉢物は３つの内周壁面によって支持され、更に、窓部を鉢物の幅よりも幅広に設けることができる。
【００１６】
よって、この花卉用収容具を使用すれば、内部の幅は間口よりも狭いため内部の幅に相応する大きさの鉢物を箱内に収容しやすく、また、収容された鉢物は３点支持であるため安定感が良く、その上、窓部を鉢物の幅よりも幅広に設けることができるため、陳列した際に窓部を介して鉢物の正面のみならず斜め方向からも観察することができるとともに光が鉢物の裏側にまで届く為その寿命を長期化しやすいものである。
【００１７】
なお、前記箱体の上下底が直角二等辺三角形状であり、前記開閉扉をこの直角二等辺三角形の斜辺部に相当する側壁部に設ければ、一対の花卉用収容具をその窓部を向かい合わせて重ねて一体化したときに直方体状となってコンバクトになるため、搬送や取扱いがしやすいものである。
【図面の簡単な説明】
【図１】この発明に係る花卉用収容具の斜視図である。
【図２】図１に相当する扉を開放した状態の図である。
【図３】図１におけるＩＩＩ−ＩＩＩ　線断面図である。
【符号の説明】
Ａ　…　花卉用収容具
１０　…　三角柱状箱体
１５　…　開口
２０　…　開閉扉
２１　…　窓部
【図１】
2004051121.tif 000003
【図２】
2004051121.tif 000004
【図３】
2004051121.tif 000005